(57)【要約】【課題】  本発明はスリットが形成されたケースを有する表示装置を提供する。【解決手段】  本発明の一態様による表示装置は、内部に設置空間を有し、前面に開放された表示領域を有し、側面に前記設置空間に連通するスリットが形成されたケースと、前記設置空間で前記ケースに固定結合されて前記表示領域に露出した表示パネルと、前記スリットを介して前記表示パネルの後部の前記設置空間に摺動装着されるバックライトユニットとを含む。【選択図】      図３
2009043728.tif 000002
【特許請求の範囲】
【請求項１】
内部に設置空間を有し、前面に開放された表示領域を有し、側面に前記設置空間に連通するスリットが形成されたケースと、
前記設置空間で前記ケースに固定結合されて前記表示領域に露出した表示パネルと、
前記スリットを介して前記表示パネルの後部の前記設置空間に摺動装着されるバックライトユニットとを含む表示装置。
【請求項２】
前記設置空間内に設置されて電源又は信号を供給する引き出しコネクタと、
前記バックライトユニットに設置されて前記引き出しコネクタと接続される引き込みコネクタとをさらに含むことを特徴とする請求項１に記載の表示装置。
【請求項３】
前記引き込みコネクタ及び引き出しコネクタの少なくとも一つは、ケーブルに接続されて設置されることを特徴とする請求項２に記載の表示装置。
【請求項４】
前記ケースの後面に形成されたゲートを含み、
前記ゲートは前記引き込みコネクタと前記引き出しコネクタの接続部分に形成されることを特徴とする請求項３に記載の表示装置。
【請求項５】
前記引き込みコネクタ及び前記引き出しコネクタは、前記バックライトユニットの摺動装着により密着して接続されるソケット構造であることを特徴とする請求項２に記載の表示装置。
【請求項６】
前記スリットの反対側の前記ケースの内部に設置されたプッシュロック部材をさらに含むことを特徴とする請求項５に記載の表示装置。
【請求項７】
前記プッシュロック部材は、
弾性部材と、
前記弾性部材により所定距離摺動して前記引き込みコネクタ及び前記引き出しコネクタを分離する摺動カムとを含むことを特徴とする請求項６に記載の表示装置。
【請求項８】
前記バックライトユニットは、前記スリットに露出した側面に引き出すための取っ手を有することを特徴とする請求項１に記載の表示装置。
【請求項９】
前記スリットを覆う外郭フレームをさらに含むことを特徴とする請求項１に記載の表示装置。
【発明の詳細な説明】
【技術分野】
【０００１】
本発明は表示装置に関し、より具体的にはバックライトユニットを有する表示装置に関するものである。
【背景技術】
【０００２】
一般に、表示装置は、表示パネルと前記表示パネルに光源を提供するためのバックライトユニットがケース内に収納された構造を有する。前記ケースは、前記表示パネル及び前記バックライトユニットが内蔵される後面フレームと、前記表示パネルのために開口が形成され、前記後面フレームと締結されて前記表示パネル及び前記バックライトユニットを固定する前面フレームとから構成される。
【０００３】
前記表示パネルと前記バックライトユニットは、表示装置の製造工程で前記後面フレームに装着されて前記前面フレームと前記後面フレームが締結されてケースの内部に収納される。
【０００４】
前記ケースの内部に電源供給部と外部インターフェースパネルが装着され、前記表示パネルと前記バックライトユニットに電源を供給して外部信号を受信することができる。
【０００５】
従来の表示装置は、製造過程で表示パネルとバックライトユニットが前記ケースの内部に固定されて装着されているので、バックライトユニットの故障を修理するためには前記後面フレームと前面フレームを分離しなければならず、前記表示パネルの後ろの前記バックライトユニットを分離するために前記表示パネルも前記フレームから分離しなければならない。
【０００６】
ＬＣＤパネルのようにバックライトユニットが必要な表示パネルは、厚さが薄く、外部からの衝撃に弱く、取り扱いが難しく、前記パネルを分離する過程で表示パネルが損傷する恐れがある。
【０００７】
特に、大型の表示パネルは張力により曲がりやすいので、パネルの分離及び取り扱いにより注意しなければならない。
【発明の開示】
【発明が解決しようとする課題】
【０００８】
本発明が解決しようとする技術的な課題は、ケースを分解せずにバックライトユニットをケースから分離したり装着することができる表示装置を提供することにある。
【課題を解決するための手段】
【０００９】
上記課題を解決するために本発明は、スリットが形成されたケースを有する表示装置を提供する。
【００１０】
本発明の一態様による表示装置は、内部に設置空間を有し、前面に開放された表示領域を有し、側面に前記設置空間に連通するスリットが形成されたケースと、前記設置空間のケースに固定結合されて前記表示領域に露出した表示パネルと、前記スリットを通過して前記表示パネルの後部の前記設置空間に摺動装着されるバックライトユニットとを含む。
【発明の効果】
【００１１】
本発明による表示装置は、スリットを介してバックライトユニットを装着することにより、ケースを分解したり前記表示パネルをケースから分離せずに、前記バックライトユニットを装着したり分離することができる。
【００１２】
従って、表示パネルの取り扱いの不注意による損傷を防ぐことができ、バックライトユニットを修理したり交換する時間を最小化することができる。
【発明を実施するための最良の形態】
【００１３】
図１及び図２は、それぞれ本発明の一実施形態による表示装置の前面及び後面を示す斜視図である。
【００１４】
本発明による表示装置はモニターに適用される。しかし、本発明はモニターに限定されるのではなく、表示パネル及びバックライトユニットが装着された携帯用マルチメディア機器及びテレビにも適用することができる。
【００１５】
図１及び図２を参照すると、本発明の一実施形態による表示装置１００は、内部に設置空間を有し、前面に開放された表示領域１２０を有するケース１１０と、前記設置空間内に装着されて前記ケースに締結された表示パネル１２０と、前記設置空間に摺動装着されたバックライトユニット１３０とを含む。
【００１６】
ケース１１０は側面に前記設置空間に連通するスリット１１２が形成されており、バックライトユニット１３０はスリット１１２を介して前記ケース内の設置空間に摺動装着したり、前記ケースから分離することができる。
【００１７】
スリット１１２は、ケース１１０の左側又は右側に形成することに限定されるのではなく、ケース１１０の上部又は下部の側面に形成することもできる。従って、バックライトユニット１３０は、ケース１１０の上方又は下方から前記ケース内に挿入することができる。
【００１８】
本発明の一実施形態による表示装置は、スリット１１２を覆う外郭フレーム１１３をさらに含むことができる。外郭フレーム１１３は、バックライトユニット１３０が装着されたケース１１０の側面に結合される。
【００１９】
図示していないが、ケース１１０の内部には前記表示パネル及び前記バックライトユニットに電源を供給するための電源供給部が設置される。前記表示パネルは、ケースを組み立てる工程で電源供給部と接続される。
【００２０】
バックライトユニット１３０は、前記ケース内に装着されると電源供給部に接続される。従って、前記電源供給部にバックライトユニット１３０を接続するためのゲート１１４がケース１１０の後面に形成される。
【００２１】
ゲート１１４にはドアを設置することができ、前記ドアはスライディングドア、プッシュドア及びヒンジドアなどの多様な構造から選択して設置することができる。
【００２２】
図３は本発明の一実施形態による表示装置の分解斜視図である。図３を参照すると、本発明の一実施形態による表示装置のケースは、前面フレーム１１６と後面フレーム１１８とから構成される。
【００２３】
前面フレーム１１６はケース内に締結された表示パネル１２０が外部に露出する開口を有し、後面フレーム１１８は表示パネル１２０及びバックライトユニット１３０が収納される空間を有する。
【００２４】
表示パネル１２０は、前面フレーム１１６に結合されるか、又は表示パネル１２０を前記ケース内で固定するための他の形態のサッシに締結され、前記サッシが前面フレーム１１６もしくは後面フレーム１１８に締結される。
【００２５】
表記パネル１２０は前記ケースの組み立て工程で前記ケースに結合され、バックライトユニット１３０は前記ケースの組み立てが完了した後にスリット１１２を介して前記ケースの内部に摺動装着される。
【００２６】
図４は本発明の一実施形態による表示装置の設置空間を示す図である。図４を参照すると、本発明の一実施形態による表示装置のケース１１０の内部にはガイドフレーム２００が設置される。ガイドフレーム２００は、バックライトユニット１３０を支持してバックライトユニット１３０の摺動を案内する。ガイドフレーム２００とバックライトユニット１３０が当接する部分には、互いに対応する構造のガイドレールが形成されてもよい。
【００２７】
バックライトユニット１３０は、ケース１１０の内部に設置された電源／信号供給部２１２及び／又は表示パネル１２０（図３参照）と接続される。このために、ケース１１０の内部には引き出しコネクタ２１４が形成され、バックライトユニット１３０には引き出しコネクタ２１４と接続される引き込みコネクタ２１６が形成される。
【００２８】
バックライトユニット１３０が装着されると、引き出しコネクタ２１４及び引き込みコネクタ２１６が接続されて電源又は信号がバックライトユニット１３０に供給される。
【００２９】
引き出しコネクタ２１４及び引き込みコネクタ２１６を接続するために、図２に示すように、ケース１１０の後面に図２のゲート１１４が形成される。ゲート１１４は、引き出しコネクタ２１４及び引き込みコネクタ２１６がスリット１１２から遠く離れて接続される場合、引き出しコネクタ２１４及び引き込みコネクタ２１６が接続される部分のケースの後面に形成される。
【００３０】
しかし、引き出しコネクタ２１４及び引き込みコネクタ２１６が外部に露出して接続される場合や、バックライトユニット１３０が装着されて引き出しコネクタ２１４及び引き込みコネクタ２１６が密着して接続される場合は、ゲート１１４が形成されなくてもよい。
【００３１】
引き出しコネクタ２１４及び引き込みコネクタ２１６の少なくとも一つはケーブルに接続される。例えば、引き出しコネクタ２１４は引き出しケーブル２１２に接続され、引き込みコネクタ２１６は引き込みケーブル２１０に接続される。
【００３２】
ケース１１０からのバックライトユニット１３０の分離を容易にするために、図５に示すように、バックライトユニット１３０に取っ手１３２が設置される。取っ手１３２は、ケース１１０に装着されたバックライトユニット１３０の露出面に設置され、バックライトユニット１３０をケース１１０から分離するために使用することができる。
【００３３】
図６は本発明の一実施形態による表示装置の他の形態の設置空間を説明するための図である。図６を参照すると、図４と同様に、ケース１１０の内部にはガイドフレーム２００が設置される。ガイドフレーム２００は、バックライトユニット１３０を支持してバックライトユニット１３０の摺動を案内する。ガイドフレーム２００とバックライトユニット１３０が当接する部分には、互いに対応する構造のガイドレールが形成されてもよい。
【００３４】
バックライトユニット１３０は、ケース１１０の内部に設置された電源／信号供給部２１２及び／又は表示パネル１２０（図２参照）と接続される。このために、ケース１１０の内部には引き出しコネクタ２３０が形成され、バックライトユニット１３０には引き出しコネクタ２３０と接続される引き込みコネクタ２３２が形成される。
【００３５】
引き出しコネクタ２３０はガイドフレーム２００に設置され、引き込みコネクタ２３２はバックライトユニット１３０に設置される。引き出しコネクタ２３０及び引き込みコネクタ２３２は、互いに対応する位置に形成される。
【００３６】
引き出しコネクタ２３０及び引き込みコネクタ２３２は、それぞれガイドフレーム２００及びバックライトユニット１３０の固定位置に設置される。従って、バックライトユニット１３０が摺動装着されると、引き出しコネクタ２３０と引き込みコネクタ２３２が密着して接続される。
【００３７】
バックライトユニット１３０は、引き出しコネクタ２３０と引き込みコネクタ２３２の接続によりケース１１０内に固定される。
【００３８】
バックライトユニット１３０は、プッシュロック方式でケース１１０内に装着及び脱着することができる。例えば、ガイドフレーム２００に、圧力を加えると所定距離移動して固定され、再度圧力を加えると元の位置に復帰するプッシュロック部材２４０が形成されてもよい。
【００３９】
プッシュロック部材２４０は、圧力が加えられと一定距離移動して固定され、再度圧力を加えると固定された部分が解除される摺動カム２４２と、摺動カム２４２に復元力を提供して摺動カム２４２を元の位置に復帰させる弾性部材２４６とを含む。ガイドフレーム２００には、摺動カム２４２が所定の幅だけ移動するようにガイド溝２４４がさらに形成されてもよい。
【００４０】
バックライトユニット１３０がガイドフレーム２００に沿ってケース１１０に装着されると、バックライトユニット１３０は摺動カム２４２に密着して摺動カム２４２を押す。摺動カム２４２は、所定の幅だけ移動して固定される。摺動カム２４２は、引き出しコネクタ２３０及び引き込みコネクタ２３２が結合されるように設計することができる。
【００４１】
バックライトユニット１３０は、ケース１１０の外側からバックライトユニット１３０を押すことにより分離することができる。バックライトユニット１３０から摺動カム２４２に圧力が伝わると、摺動カム２４２は固定された状態から解除されて弾性部材２４６により元の位置に復帰する。
【００４２】
その結果、バックライトユニット１３０は、摺動カム２４２の移動距離だけケース１１０の外部に露出してケース１１０から分離される。
【００４３】
図７は本発明の一実施形態によるスリットドアを説明するための図である。図７を参照すると、本発明の一実施形態による表示装置のケース１１０には、スリットを開閉するスリットドア１５０が設置される。
【００４４】
スリットドア１５０は、ヒンジ１５２によって回動して前記スリットを開閉し、弾性部材（図示せず）によって復元力が提供される。
【００４５】
スリットドア１５０は、前記スリットを閉じた状態でバックライトユニットが前記スリットを介してケース１１０に装着されると、前記バックライトユニットにより押されてスリットを開放する。また、前記バックライトユニットがケース１１０から分離されると、前記スリットドアが元の位置に復帰して前記スリットを閉じることができる。
【００４６】
従って、スリットドア１５０は、バックライトユニットが装着されていないケース１１０の内部にほこりなどの異物が入ることを防ぐことができる。
【図面の簡単な説明】
【００４７】
【図１】本発明の一実施形態による表示装置の前面を示す斜視図である。
【図２】本発明の一実施形態による表示装置の後面を示す斜視図である。
【図３】本発明の一実施形態による表示装置の分解斜視図である。
【図４】本発明の一実施形態による表示装置の設置空間を示す図である。
【図５】本発明の一実施形態による表紙装置のバックライトユニットを説明するための図である。
【図６】本発明の一実施形態による表示装置の他の形態の設置空間を説明するための図である。
【図７】本発明の一実施形態によるスリットドアを説明するための図である。
【符号の説明】
【００４８】
１００  表示装置
１１０  ケース
１１２  スリット
１１３  外郭フレーム
１１４  ゲート
１１６  前面フレーム
１１８  後面フレーム
１２０  表示パネル
１３０  バックライトユニット
１３２  取っ手
１５０  スリットドア
１５２  ヒンジ
２００  ガイドフレーム
２１０  引き込みケーブル
２１２  引き出しケーブル
２１４、２３０  引き出しコネクタ
２１６、２３２  引き込みコネクタ
２４０  プッシュロック部材
２４２  摺動カム
２４４  ガイド溝
２４６  弾性部材
【図１】
2009043728.tif 000003
【図２】
2009043728.tif 000004
【図３】
2009043728.tif 000005
【図４】
2009043728.tif 000006
【図５】
2009043728.tif 000007
【図６】
2009043728.tif 000008
【図７】
2009043728.tif 000009